(57)【要約】【課題】自動車運転中に緊急地震速報など緊急事態発生の情報の報知で、運転者が慌てて急ブレーキをかけたり、ハザードランプのスイッチを押すのを遅れたりすると周辺の他車による追突事故などで大惨事を引き起こすおそれがある。【解決手段】本発明の車載用緊急情報受信装置１は、緊急地震速報など緊急情報の放送受信４による音声出力で運転者に報知するとともに、緊急情報の開始予告信号で自車のハザードランプ点滅を自動的に動作３し、他車への注意喚起を可能にする。これにより運転者は、ハザードランプ点滅の動作にかまけずに緊急事態への適切な減災対応にあたることができる。また、緊急事態の発生でパニック状態に置かれた運転者には、音声ガイダンスが用意され、ガイダンスに従い、乗員と自車走行の安全確保をめざす。【選択図】図１
2015036967.tif 000002
【特許請求の範囲】
【請求項１】
放送波で送信される緊急地震速報などの緊急情報を常時受信可能な車載用の専用受信機において、受信した緊急情報の予告信号により音声出力を開始し、警報音から始まる緊急情報の内容を音声で走行中の当該自動車の運転者に伝え、運転者による交通事故防止の動作をうながすとともに、該予告信号で自車のハザードランプの点滅を自動的に始めることにより周辺の他車への注意を喚起し、自車の乗員と自車の走行の安全をめざすことを特徴とする車載用緊急情報受信装置。
【請求項２】
請求項１に記載した車載用緊急情報受信装置において、緊急地震速報などの緊急情報の受信にともなう緊急事態の発生で運転者がパニック状態に置かれた場合には、該受信装置に登録の音声ガイダンスの再生により運転者はそれに従い周辺の他車などを注意しながら自車をゆっくり減速し道路脇に停車させるなどの安全確保の動作に入ることを特徴とする車載用緊急情報受信装置。
【発明の詳細な説明】
【技術分野】
【０００１】本発明は、走行中の自動車運転者への緊急地震速報などの緊急情報の報知と、それを受けての当該運転者等による交通事故防止の適切な動作による乗員と走行車両の安全を保つことをめざす緊急情報受信装置に関するものである。
【背景技術】
【０００２】地震の震源から伝播する地震波による揺れの到来を事前に知らせる気象庁の緊急地震速報は、ラジオやテレビで放送されるほか、自治体の防災無線や携帯電話、スマートフォン、専用の受信装置で広く報知され、鉄道等の交通機関をはじめ、工場や職場、家庭や学校でも減災対策としての利用が進んでいる。【０００３】しかし、家庭や職場では緊急地震速報の利用に不慣れな人も多く、とくに、自動車走行中での利用はまだ限定的で、高速運転中の地震発生は衝突、追突事故など思わぬ大きな事故につながるおそれがあるだけに、運転者に対する緊急地震速報利用のための啓発指導が急がれる。【０００４】地震災害は、地震の揺れが建物や道路などの構築物にどのような影響を及ぼすのかなど不明な点が多いだけに、自動車運転者による緊急地震速報の利用にあたっては、減災や交通事故防止に具体的に結びつけられるような走行中の安全性向上に役立つ動作への配慮が欠かせない。
【先行技術文献】
【特許文献】
【０００５】
【特許文献１】特開２０１０−１５２６４８号公報
【特許文献２】特開２０１２−１２３８３５号公報
【発明の概要】
【発明が解決しようとする課題】
【０００６】解決しようとする問題点は、地震の発生で大きな揺れが迫る中で走行中の自動車を、間もなく起こる地震の揺れによる道路の損傷、追突、衝突などの事故に巻き込まれないように迅速且つ安全に道路脇などに停車させて地震に備えることができるかどうかで、このために当該運転者は、緊急地震速報を受信してからの短い時間内に多くの安全対応の動作を迫られることになる。
【課題を解決するための手段】
【０００７】本発明の車載用緊急情報受信装置（以下、該受信装置と呼ぶ）は、受信した緊急地震速報の放送開始の予告信号で自動的にスイッチが入り、当該運転者に、緊急地震速報の警報音とその内容を音声で伝えて緊急事態が起きていることを認識させる。同時に、緊急地震速報の放送開始の予告信号に連動させて当該車のハザードランプの点滅を自動的に開始し、周辺を走行中の他車に注意をうながし、自車の走行の安全を保つ。該運転者はその間に車両を減速し道路脇に停車させるなど地震に備える安全確保の動作に入る。【０００８】この場合、緊急地震速報が報知されると運転者によってはパニック状態になって、周辺を走行中の他車などの安全確認をしないまま慌てて急ブレーキをかけたり、ハザードランプのスイッチを押すのを忘れたりして、他車による追突事故など思わぬ事故に巻き込まれるおそれがある。そこで、該受信装置は受信した緊急地震速報の音声出力に続いて、該受信装置に登録されている音声ガイダンスを再生し、運転者に自車走行の安全を保つための具体的な動作を冷静に行うようアドバイスすることを特徴とする。
【発明の効果】
【０００９】走行中の自動車運転者は、該受信装置により緊急地震速報の発令を知り、間もなく発生する地震の揺れという緊急事態に対応すべく、乗員と自車の走行の安全確保のための動作を開始することになる。このような場合、運転者は、通常、周辺他車の追突防止のためにハザードランプの点滅から動作するが、該受信装置によりハザードランブの点滅はすでに始まっており、運転者は、この動作にかまけずに減災対応の動作にゆとりを持って順次入ることができる。【００１０】緊急地震速報による緊急事態の発生に驚き、運転者がパニック状態になることも予想される。こうした事態に対処するため該受信装置には音声ガイダンスが登録されており、運転者はガイダンスに従い、周辺走行の他車などに注意しながら、自車を減速し道路脇などに停車する動作を行うことができるという利点がある。
【図面の簡単な説明】
【００１１】
【図１】該受信装置の実施例の説明図である。（実施例１）
【発明を実施するための形態】
【００１２】運転席の前部フロントガラス下のダッシュボード上に設置された小型の該受信装置は自動車電源とハザードランプにコードで接続し、緊急地震速報の受信により緊急地震速報の音声出力とハザードランプの点滅を自動的に開始する。ここで示す実施形態は一例であり限定されるものではない。以下、実施例１について図１に基づいて説明する。
【実施例１】
【００１３】図１は、本発明の車載用緊急情報受信装置の実施例の説明図で、該受信装置１には内部に放送波（ラジオ）で送られてくる緊急地震速報を受信するためのチューナーをはじめ、種々の動作を実行するためのコンビュータが組み込まれＣＰＵやハードディスクなどが内蔵されている。１〜４は、緊急地震速報の受信による音声入出力とハザードランプの自動点滅にかかる部分で、５〜７は、運転者がその動作を確認するモニター部分からなる。【００１４】当該車のエンジン稼動によりスイッチが入る該受信装置１は、緊急地震速報が放送されるとアンテナ４から受信した緊急地震速報開始の予告信号によりその音声出力を開始し、同時に、当該車のハザードランプに接続コード３を通じて信号が送られその点滅を自動的に動作するものとする。【００１５】緊急地震速報の内容が音声出力され、同時に、ハザードランプ点滅の動作が始まるとモニター用ＬＥＤランプ５、６が点灯する。【００１６】運転者は、緊急地震速報の内容の聴取とモニター用ＬＥＤランプ点灯５、６の確認により緊急事態の発生を認識する。運転者は、間もなく起きる地震の揺れに備えて周辺を走行中の他車などを注意しながら、自車をゆっくり減速し道路脇に停車させるなどの安全確保の動作に入る。【００１７】該受信装置１によるハザードランブ点滅の自動開始により、運転者はこの動作にかまけずに自車の減災対応の動作に順次入ることができるが、運転者がパニック状態におかれた場合に対処するため、該受信装置横の音声調整のツマミ７を押す（右利き、左利きによりツマミの位置変更可）ことにより、音声ガイダンスの出力に変わり、その指示のもとに自車をゆっくり減速し道路脇に停車させるなどの安全確保の動作に入ることができる。【００１８】音声ガイダンスによる音声サービスは、該受信装置の登録情報を音声出力するもので、運転者に安全走行による減速、停車などの操作を促すもので、音声ガイダンスの書き換えは運転者に合わせて可能とする。
【産業上の利用可能性】
【００１９】該受信装置は、緊急地震速報以外にも、高速道路での渋滞発生の際に、沿線ラジオで提供される緊急情報による前記同様の利用が可能で、津波の襲来や風水害といった災害に対する自動車の安全走行の確保に役立てることができる。【００２０】該受信装置の機能・システムの市販のカーラジオやカーナビ等での活用は可能なものの、併用による受信電波の切り替えなどで手間取り緊急情報の受信に遅れることもあり、専用受信装置の利用が望ましい。
【符号の説明】
【００２１】１  車載用緊急情報受信装置
２  自動車電源からの電源コード
３  自車ハザードランプの接続コード
４  ラジオ放送受信アンテナ
５  緊急地震速報の音声出力確認のモニター用ＬＥＤランプ
６  ハザードランプ自動点滅確認のモニター用ＬＥＤランブ
７  緊急地震速報の音声出力の調整、並びに音声ガイダンス切り替えツマミ
（音声ガイダンスへの切り替えはツマミを押す）
【図１】
2015036967.tif 000003